(57)【要約】【課題】  生産工程での組立てや設置状態での交換における角度合わせ、または位置決めが容易にできる照明装置２０を提供する。【解決手段】  本発明の照明装置２０は、灯具ベース１と、複数の発光素子７を配置した発光素子モジュール３と、前記発光素子モジュール３を固定するＶ字形状のアングル４とを備え、灯具ベース１には階段状の段部１ｃが設けられ、アングル４の端部にはフランジ４ａが設けられており、フランジ４ａは段部１ｃに固定されることを特徴としている。【選択図】  図２
2011187189.tif 000002
【特許請求の範囲】
【請求項１】
灯具ベースと、
複数の発光素子を配置した発光素子モジュールと、
前記発光素子モジュールを固定するＶ字形状のアングルとを備えた照明装置であって、
前記灯具ベースには階段状の段部が設けられ、
前記アングルの端部にはフランジが設けられており、
前記フランジは前記段部に固定されることを特徴とする照明装置。
【請求項２】
前記アングルを分割アングルと前記分割アングルに固定された回動自在な蝶番とから構成し、前記分割アングルと前記分割アングルとで形成されるＶ字形状の稜部の位置に前記蝶番の回転軸を配置し、回動可能にしたことを特徴とする請求項１に記載の照明装置。
【請求項３】
前記アングルは高弾性を備え、前記段部は水平面を有して、前記フランジを前記段部の複数の前記水平面に対応させるように、前記アングルの開口角度が変更可能であることを特徴とする請求項１に記載の照明装置。
【請求項４】
前記発光素子はＬＥＤであることを特徴とする請求項１から請求項３までのいずれか１項に記載の照明装置。
【発明の詳細な説明】
【技術分野】
【０００１】
本発明は、道路、公園等の主に屋外で街路灯、防犯灯、庭園灯、及び投光器等として使
用される照明装置に関する。
【背景技術】
【０００２】
特開２００９−１５２１７０号公報（特許文献１）には、器具本体が発光素子の放熱を促進するアルミダイカスト製で、かつ取付け板がＶ字形状で水平線と取付け板とが挟む開き角が３０度〜６０度の範囲で角度変更が可能で、器具本体１５の内面にねじ止め等により固定される照明装置が記載されている。
【先行技術文献】
【特許文献】
【０００３】
【特許文献１】特開２００９−１５２１７０号公報
【発明の概要】
【発明が解決しようとする課題】
【０００４】
しかしながら特許文献１では、生産工程における取付け板の組立てや照明装置を電柱等に設置した状態での取付け板の交換における角度合わせ、または位置決めについては具体的に触れられておらず、取付け板の取付け位置に自由度があることにより、取付け位置がずれる可能性があり、照明の範囲がずれる恐れがあるという問題があった。
【０００５】
本発明は、上記の角度合わせまたは位置決めを、容易かつ正確にできるようにしたものであり、照明装置の生産工程での組立てや設置後の取付け板の交換の効率をはかることを目的とする。
【課題を解決するための手段】
【０００６】
前記課題を解決するため、本発明に係わる照明装置は、灯具ベースと、複数の発光素子を配置した発光素子モジュールと、前記発光素子モジュールを固定するＶ字形状のアングルとを備え、前記灯具ベースには階段状の段部が設けられ、前記アングルの端部にはフランジが設けられており、前記フランジは前記段部に容易に固定できることを特徴としている。
【発明の効果】
【０００７】
本発明に係る照明装置によれば、生産工程での組立てや照明装置を電柱等に設置した状態でのアングルの交換が容易かつ正確にでき、開口角度の異なるアングルに対応可能で、照射角度や照射位置の変更を容易にすることができる。
【図面の簡単な説明】
【０００８】
【図１】本発明に係わる照明装置の平面図である。
【図２】図１におけるＡ−Ａ断面図である。
【図３】図１における灯光カバーをはずした平面図である。
【図４】灯具ベースの平面図とこのＢ−Ｂ断面図である。
【図５】図２における変形例のＡ−Ａ断面図である。
【発明を実施するための形態】
【実施例】
【０００９】
以下本発明に係る照明装置２０に関して説明する。
【００１０】
図１は本発明に係わる照明装置２０の平面図である。照明装置２０は、灯具ベース１、灯光カバー２と取付け金具１１が記載されている。
【００１１】
図２は、図１におけるＡ−Ａ断面図で、複数の発光素子７、複数の発光素子７が取り付けられた発光素子モジュール３、発光素子モジュール３を固定するアングル４が記載されている。
【００１２】
初めに図１について説明する。図１は照明装置２０の平面図であり、下側（路面側）から照明装置２０を見た図である。照明装置２０の外観は灯具ベース１と灯光カバー２と取付け金具１１から構成される。灯具ベース１は、アルミダイカスト製で、下面に開口部を形成し、略蓋の形状であり、内部に複数の発光素子７を配置した発光素子モジュール３、アングル４を収納するものである。
【００１３】
灯光カバー２は透光性のある透明なアクリル樹脂等の合成樹脂で形成されている。灯光カバー２は灯具ベース１の略蓋の形状に形成されており、灯具ベース１の最も外側の垂直なフランジの内側に灯光カバー２の外側の垂直なフランジが挿入されている。灯光カバー２のフランジは、取付け金具１１の付け根部の近傍に、ねじ５によって固定されている。もう１箇所は取付け金具１１とは反対側（図の上側）において、灯具ベース１のフランジから灯光カバー２のフランジにねじ５を貫通させて固定されている。照明装置２０は台風や大雨の際でも照明装置２０の内部に水が入らないように灯具ベース１と灯光カバー２によって機密性が保たれている。
【００１４】
取付け金具１１は照明装置２０を支持する支柱に固定するための金具である。取付け金具１１は支柱に固定するための支持部材（図示せず）とこれに組み合わされる帯状の取付けバンド（図示せず）を用いて支柱等に支持固定される。なお、支柱としては、電柱、ポールまたは、照明装置２０専用の支柱等がある。照明装置２０は道路の歩道側に設置された支柱等の高所に取付けられる。
【００１５】
次に図２について説明する。
【００１６】
発光素子モジュール３は照明装置２０の光源である複数の発光素子７と、発光素子７を取り付けたプリント基板から構成される。図３に示すように、発光素子７はＬＥＤで、碁盤目状（図３では横に８列、縦に２８列）に発光素子モジュール３に設置されている。プリント基板は一例として、ガラスエポキシ製で、板厚が１．６ｍｍのものを用いた。発光素子モジュール３は２枚あり、それぞれがＶ字形状のアングル４の下側の２面にそれぞれ複数のねじ５で固定されている。
【００１７】
アングル４は金属の板材をＶ字の形状にし、発光素子モジュール３から発生する熱を逃がすために、熱伝導が良いアルミニウム製で、発光素子モジュール３をねじ５で固定する際に簡単に変形しない板厚（一例として、２ｍｍ以上の板厚）で形成されている。なお、アングル４は１枚の板を折り曲げるか、または、一対の平板の側面をつき合わせ、その部分を溶接で接合する等によってＶ字形状に加工される。アングル４の端部にはフランジ４ａが形成され、フランジ４ａ部にはねじ止め用の穴が設けられている。アングル４は、灯具ベース１に近い側が徐々に開きながら傾斜するように配置され、灯具ベース１に固定される。アングル４の灯具ベース１への固定方法の詳細については、後述する。
【００１８】
次に、灯具ベース１について詳細に説明する。図４（ａ）は灯具ベース１を上側から見た平面図であり、（ｂ）は灯具ベース１のＢ−Ｂ断面図である。図２に示すように灯具ベース１の内側の両側には、複数の段部水平面１ａと段部垂直面１ｂから構成された階段状の段部１ｃが設けられている。段部水平面１ａにはアングル４の取り付け用穴がそれぞれ設けられている。アングル４を灯具ベース１にねじ５を止めしても、ねじ５は灯具ベース１の上に突き抜けない。灯具ベース１の上面は、水が内部に浸入しないように防水加工されている。
【００１９】
次に、アングル４の灯具ベース１への固定方法について説明する。
図２に示すように、Ｖ字形状に形成されたアングル４の灯具ベース１側の開口角度がＸであるアングル４を灯具ベース１の内側に置く。アングル４は灯具ベース１の内側両側に設けられた複数の段部水平面１ａのうちアングル４に適合する段部水平面１ａにアングル４のフランジ４ａの面を重ね、アングル４に適合する段部垂直面１ｂにアングル４のフランジ４ａの側面を当接し、灯具ベース１の段部水平面１ａとアングル４のフランジ４ａに設けられた穴を一致させてねじ５で固定する。灯具ベース１の段部１ｃは４段あるが、図２では最も外側の段部を使用してアングル４を固定している。
【００２０】
段部１ｃを利用してアングル４の位置決めを行っているので、図２においてアングル４を誤って所定外の段部１ｃに取り付けようとした場合、アングル４が傾いたり、段部１ｃの段部垂直面１ｂにアングル４のフランジ４ａの側面が当接されなくなったりすることにより、アングル４が適切に固定されなくなるため、アングル４を所定位置以外に誤って固定することを防ぐことができる。
【００２１】
生産工程での組立て時におけるアングル４の取付けは、灯具ベース１の上面を床等の平面に置き、アングル４を上から置くことで、灯具ベース１の穴位置とアングル４の孔位置を容易に一致させることができ、ねじ５の固定が容易にできる。
【００２２】
ここで、防犯灯については、（社）日本防犯設備協会により「防犯灯の照度基準」（ＳＥＳ  Ｅ１９０１−１）が決められている。この「照度基準」では、危険を回避できる距離として、４ｍ先の歩行者の見え方を基準として、照度基準が定められている。
防犯灯として、照明装置２０を用いた場合、防犯灯の取付け高さは一定ではないため、発光素子７が固定されているアングル４の開口角度を変えることにより、最低の照度基準に適合させることが必要となる。
【００２３】
そこで次に、照明装置２０においてアングル４の開口角度を変更させる場合の対応について説明する。図２において、一点鎖線はアングル４’がアングル４の開口角度Ｘより狭い開口角度で取付けた場合を示している。アングル４’は、灯具ベース１の段部１ｃにうち外側から２つ目の段部１ｃに固定される。このように、灯具ベース１には複数の段部１ｃが設けられているため、アングル４の開口角度に合った段部を利用して、アングル４を灯具ベース１に固定することが可能となり、アングル４の開口角度に合った灯具ベース１を都度用意する必要がなくなる。
【００２４】
さらに、灯具ベース１に段部１ｃを設けていない場合は、開口角度が異なるアングル４に合わせてそれぞれ灯具ベース１を作ることになるが、灯具ベース１はアルミダイキャスト等で形成されているため、金型の費用等の製造コストがかかる。さらに、数種類の灯具ベース１を確保しておくため、部品置き場として広いスペースが必要となる。しかし、照明装置２０では、１種類の灯具ベース１で幅広く対応することが可能であるため、製造コストを低減できる。また、アングル４についてはＶ字形状のアルミ板であるので製造が容易で、多段に隙間なく積み重ねが可能である。したがって、アングル４を数種類作成したとしても、製造コストは上昇せず、広い保管スペースを要しない。
なお、アングル４の開口角度を変更することにより、照明範囲を変えることも可能であるため、照明装置２０を防犯灯以外の屋外照明に用いる場合においても、同様に照度や照明範囲を適宜変更することが可能である。
【００２５】
上記実施形態によれば、灯具ベース１とアングル４の位置および／または角度合わせが容易にでき、固定が容易に行える。
また、灯具ベース１は、段部１ｃを内側両側に設けることで、段部１ｃを設けない場合と比較して外側の表面積が大きくなり、発光素子モジュール３から発生した熱の灯具ベース１からの放熱がよくなる。
【００２６】
また、照明装置２０を電柱に取付けて電柱外灯として使用する場合は、日本電気技術規格委員会規格である「内線規程」ＪＥＡＣ８００１−２００５の３２１５節「電柱外灯」の［注］に「器具は、使用状態に取付けたとき、取付け面より１０ｃｍ突出した場所に７０ｋｇの荷重がかかってもこれに耐えるものとする」と定められている。この規程から照明装置２０を取り付けた場合に７０ｋｇの重量に耐える必要があるが、灯具ベース１の上面は外側のフランジ４ａまでをすべて平面とするより段部１ｃを設けたほうが強固となり、上記の荷重にたいして灯具ベース１の厚みを薄くすることが可能である。
【００２７】
次にアングル４の別の態様について図５を参照して説明する。図５は図２における変形例である。
図２でのアングル４は１枚のＶ字形状のアルミ板であったが、図５のアングルは２枚の平板の分割アングル８と１個の平型蝶番１０から構成される。分割アングル８の形状はアングル４のＶ字形状の稜部で切断したものとほぼ同一形状である。なお、他の部品については、図２と同様である。
【００２８】
平型蝶番１０は一般的な横型の平型蝶番で、材料は本体と回転軸共にステンレスまたは鉄等の金属であり、回転軸を中央にして、左右に同一形状の本体があり、本体は回転軸を中心に線対称で、回転軸の長手方向に長い長方形の形状をなし、固定用の複数のねじ穴が長手方向に設けられている。
平型蝶番１０は分割アングル８の奥行き方向の中央の位置にねじ５で固定されている。Ｖ字形状に形成された分割アングル８の灯具ベース１側の開口角度Ｙは平型蝶番１０の回動自在な回転軸が位置する稜部での回動により、開口角度を自由に変えることが可能である。
分割アングル８のフランジ４ａについては、図２のアングル４のフランジ４ａと同じ形状であり、灯具ベース１との固定方法も同じである。図５において、一点鎖線は分割アングル８’が分割アングル８の開口角度Ｙより狭い開口角度で取付けた場合を示している。この場合でも、平型蝶番１０によって、容易に分割アングル８’の開口角度を変更し、その開口角度に合った段部１ｃに分割アングル８’を固定することができる。
【００２９】
上記より２枚の分割アングル８の稜部での内側の開口角度Ｙを自在に変更可能にすることで、生産時に開口角度の違うアングル４を個別に用意する必要がなく、違った開口角度のアングル４を共通で使用することを可能にしている。また、照明装置２０を電柱等に設置した状態での開口角度の違ったアングル４への交換が別のアングル４を準備する必要がなく、既に取付けられたアングル４の開口角度を変更することで、そのまま固定することができるので、容易に固定ができ、かつ部品の費用が不要となり、コスト削減をはかることができる。
【００３０】
さらに、アングル４の別の態様について説明する。
アングル４は発光素子モジュール３をねじ５で固定するので、固定する際にアルミ板が曲がったり変形しにくい板厚（一例として、２ｍｍ以上の板厚）であると上記で説明したが、逆に少し変形する薄い板厚にして、アングル４の稜部を中心として、フランジ４ａとフランジ４ａとの開口角度を広げたり、狭くしたりすることができる程度にしてもよい。アングル４の材料をアルミニウムとしたが、機械的物性の弾性率が高い、すなわち高弾性のステンレス等にしてもよい。あるいは、アングル４のＶ字形状の稜部は前述では鋭角であるが、弾性率を高くするため小さな曲面にしてもよい。これによりアングル４は平型蝶番１０等を使用せずに、部品自身の弾性変形を利用して、他の開口角度でも灯具ベース１の段部１ｃに取付けが容易にできる。したがい、開口角度の違うアングル４や蝶番が不要となり、部品の共通化により、大幅な部品費用のコスト削減と部品在庫の管理改善をはかることができる。
【００３１】
複数の発光素子７は、一例として白色発光素子を使用したが、黄色発光素子、青色発光素子等の１色発光素子のみか、またはこれらの発光素子を組合せた構成でもよい。
【００３２】
発光素子は、半導体発光素子の一種である発光ダイオードで構成したが、蛍光ランプ、ＥＬ（エレクトロルミネセンス）、冷陰極ランプ、ハロゲンランプ等、半導体発光素子以外の素子で構成してもよい。あるいは、半導体発光素子と半導体発光素子以外の素子を組合せた構成でもよい。
【００３３】
なお、灯具ベース１の段部１ｃは図２では４段としているが、これに限らず２段以上であればよい。また、複数の段部１ｃの数段をアングル４の固定用とし、残りの段部１ｃは放熱や強度を高めるために設けてもよく、両側のみに限らず中央付近にも設けてよい。
【００３４】
なお、上述では灯具ベース１の段部１ｃにアングル４のみと固定していたが、一例として図２の手前側でアングル４、後ろ側でアングル４’を固定するように複数のアングルを固定してもよい。複数のアングルを使用することで、道路と歩道を同時に照明する場合、歩道側を適切な照射角度や照射位置にすることが可能である。
【００３５】
灯具ベース１は一例として熱伝導性が良いアルミニウムのダイキャスト製であったが、他の金属のダイキャストや、合金またはメッキ鋼板等でもよい。また、灯具ベース１の放熱をよくするために、放熱によって温度を下げることを目的にしたアルミニウム製のヒートシンクを灯具ベース１の内側および／または外側にねじ５等で固定してもよい。
【００３６】
アングル４の材料は一例としてアルミニウムとしたが、他の金属や、ステンレスのような金属、合金またはメッキ鋼等でもよい。また、アングル４の放熱をよくするために、熱の放散によって温度を下げることを目的にしたアルミニウム製のヒートシンクをアングル４の発光素子モジュール３を取付けた面とは反対側の面にねじ５等で固定してもよい。アルミ板またはアルミ棒等の放熱板でアングル４と灯具ベース１を連結させることで、アングル４から灯具ベース１への熱伝導をよくして、放熱の促進をはかってもよい。
【００３７】
なお、上記記述については、灯具ベース１の段部１ｃは灯具ベース１の外面も段部を設けていたが、内側だけに設けてもよい。さらに、灯具ベース１の両側でなく、片側だけでもよく、段部を設けない片側は別の固定手段を用いてもよい。
【００３８】
なお、分割アングル８と平型蝶番１０との組合せでＶ字形状に形成し、左右対称に、灯具ベース１に向かって徐々に開きながら傾斜するように配置しているが、平型蝶番１０と同じ機能をもつものであれば、他の部品または構成でもよい。一例として、樹脂製のフラットヒンジで、本体がナイロン樹脂、回転軸がステンレスでもよい。また、変形例としてポリプロピレンのヒンジ特性を利用して、回転軸の変わりにポリプロピレンの薄板を稜部に使用し、薄板をねじ５で分割アングル８に固定するか、ポリプロピレンの薄板と分割アングル８とを一体にして樹脂成型をし、Ｖ字形状の稜部でヒンジ特性を利用して開口角度変更を可能にしてもよい。
【００３９】
なお、図５の分割アングル８と平型蝶番１０の固定に関して、平型蝶番１０は１個しか使用しなかったが、分割アングル８の固定を安定させるために複数個の平型蝶番１０を分割アングル８の奥行き方向に設けてもよい。また、平型蝶番１０と同じ機能をもつ他の部品または構成で、複数個設けてもよい。
【００４０】
なお、本照明装置２０は、広範囲に光照射等可能な発光素子レンズについて述べていないが、発光素子レンズを使用してもよい。
【００４１】
なお、本照明装置２０は、屋外用のものとして構成したが、研究所、研究施設、図書館、博物館や美術館等の照明を行う室内用の照明器具として構成してもよい。
【００４２】
以上で説明した実施形態はあくまで本発明を実施するに当たっての一例であり、本発明はそれらに限定されるものではない。上述した実施形態に開示された技術的手段に周知慣用技術を適宜組み合わせて得られる態様についても本発明の技術的範囲に含まれる。
【符号の説明】
【００４３】
１  灯具ベース                        １ａ  段部水平面
１ｂ  段部垂直面                      １ｃ  段部
２  灯光カバー                        ３  発光素子モジュール
４、４’  アングル                    ４ａ  フランジ
５  ねじ                              ７  発光素子（ＬＥＤ）
８、８’  分割アングル                １０  平型蝶番
１１  取付け金具                      ２０  照明装置
Ｘ  開口角度                          Ｙ  開口角度
【図１】
2011187189.tif 000003
【図２】
2011187189.tif 000004
【図３】
2011187189.tif 000005
【図４】
2011187189.tif 000006
【図５】
2011187189.tif 000007